(57)【要約】【課題】  従来の楽器は一般に上肢、特に手指を駆使して演奏するように作られていたので手指に障害がある場合や手指以外の身体部位、特に足指を使って楽器を演奏することは困難だった。また、足指は手指に比べて動作を意識的にコントロールし難く可動範囲も狭いので、足指用楽器では並列的にキーを配置しただけでは機能しないという課題があった。【解決手段】  人間の足指の屈折・伸展、ひねりなどの動作特性に適合した楽音入力用キーボードを有する電子楽器を提供する。【選択図】図１
2017215557.tif 000002
【特許請求の範囲】
【請求項１】
足指で入力可能な楽音キーを備えた足指入力用キーボードと、該キーボードからの入力信号を受けて所定の楽音コードを生成する楽音制御装置と、前記楽音コードに基づいて楽音を発生する楽音発生制御装置とで構成したことを特徴とする電子楽器。
【請求項２】
請求項１記載の電子楽器において、前記足指入力用キーボードは、踵から足根小球部までを載せる足載せ部、及び前記足載せ部の前方に楽音入力キーを配置する領域を設けた基板と、前記基板の楽音入力キー配置領域に複数の楽音入力キーを備え、第１足指乃至第５足指の各足指の腹部で押下可能な位置に楽音入力キーを配置したことを特徴とする足指入力用キーボード。
【請求項３】
請求項２記載の足指入力用キーボードにおいて、第１足指用及び第５足指用に各々１の楽音入力キーを備え、第２足指及び第３足指の２足指の屈折操作に対応する１の楽音入力キーを備えたことを特徴とする足指入力用キーボード。
【請求項４】
請求項２又は請求項３記載の足指入力用キーボードにおいて、前記基板の前記楽音入力キー配置領域における前記楽音入力キーの取付位置及び／又は高さを調節可能にしたことを特徴とする足指入力用キーボード。
【請求項５】
請求項１記載の楽音制御装置であって、請求項２乃至請求項４記載の足指入力用キーボードからの信号の楽音制御において、第１足指用楽音入力キーからの信号、及び第５足指用楽音入力キーからの信号、及び第２足指及び第３足指の２足指の屈折操作に対応する楽音入力キーからの信号に基づいてそれぞれ１の楽音コードを生成し、複数の前記楽音入力キーの同時入力操作に対して、同時操作した楽音入力キーの組合せに応じた１楽音コードを生成することを特徴とする楽音制御装置。
【請求項６】
請求項１及び請求項５記載の足指入力用キーボードの楽音制御装置において、複数の楽音入力キーを同時入力した時に、特定の楽音入力キーの入力をキャンセルすることを特徴とする楽音制御装置。
【請求項７】
請求項１及び請求項５及び請求項６記載の足指入力用キーボードの楽音制御装置において、右脚用キーボードと左脚用キーボードとを一体的に制御して楽音コードを生成することを特徴とする楽音制御装置。
【請求項８】
請求項１及び請求項５乃至請求項７記載の足指入力用キーボードの楽音制御装置において、一方脚の足指入力用キーボードの特定足指の楽音入力キーを、そのキー単独の入力操作では楽音信号を発しないシフトキーに設定し、該シフトキー操作時は他方脚の足指入力用キーボードの楽音入力キーはシフトキー非操作時とは異なる楽音コードを生成するように設定したことを特徴とする楽音制御装置。
【請求項９】
請求項１及び請求項５乃至請求項８記載の足指入力用キーボードの楽音制御装置を有する電子楽器の楽音発生制御装置において、特定の楽音に対して半音上り又は半音下りの楽音を予め並列的に保持しておき、曲の調に応じて切替可能にしたことを特徴とする楽音発生制御装置。
【請求項１０】
請求項１及び請求項５乃至請求項９記載の足指入力用キーボードの楽音制御装置を有する電子楽器の楽音発生制御装置において、所望する周波数の楽音を発生する楽音発生制御と、前記楽音周波数に対して１Ｈｚ以上相違する２以上の異なる周波数の楽音を同時並列的に発生する発音制御とを切替可能にしたことを特徴とする楽音発生制御装置。
【発明の詳細な説明】
【技術分野】
【０００１】  本発明は、足指で演奏する電子楽器に係り、特に、人間の足指の動作特性に適合したキーボード構造及び楽音制御手段を備えた電子楽器に関する。
【背景技術】
【０００２】  従来の楽器は、一般に上肢、特に手指を駆使して演奏するように作られていた。しかしこれら従来の手指を使って演奏する楽器では、手指に障害がある場合や、手指以外の身体部位、特に足指を使って楽器を演奏しようとすることは困難であった。足指は二足歩行に適するように骨格・筋肉群が構成され、かつ無意識的な体重移動や身体姿勢保持ができるように機能付けられている。このため手指に比べて動作を意識的にコントロールし難いという特性があり、また手指に比べて可動範囲も狭い。したがって足指操作用キーの配置は、単にキーを並列的に配置しただけでは機能せず、足指の屈折・伸展、横方向への拡張・縮小、ひねりなどの動作に適合したものでなければならないという課題があった。【０００３】  下肢を用いて演奏や機器入力を行うものとして、例えば特許文献１には「音楽の鳴る靴」という名称で、足のステップに合わせて楽音を発生させる靴が開示されている。特許文献１に記載された発明は、靴に電池やアンプ、スピーカ等を備えたオールインワン型の楽器であって、靴底面の前後左右に傾斜面を設け、各傾斜面にスイッチを備え、ステップに応じてメロディーを奏でることができる。【０００４】  また特許文献２には「楽音制御方法及び楽音制御装置」という名称で、身振りに合わせて楽音を発生させる楽音制御装置が開示されている。特許文献２に記載された発明は、靴の中敷の前部と後部に圧力センサを備え、身振りに応じて変化する圧力センサからの信号を手、肩、肘、腰などに装着したコントローラで制御して演奏することができる。【０００５】  さらに特許文献３には「足裏用スイッチ」という名称で、手指以外の身体部位を利用して携帯電話やコンピュータキーボードの入力を行う方法が開示されている。特許文献３に記載された発明は、手以外にも足の親指、小指及び踵などを併用してキー入力を行い、手の操作回数を減らすことができる。【０００６】  特許文献４には「足用入力装置」という名称で、足の指先でキーを操作して電子機器にデータ入力する足用入力装置が開示されている。特許文献４に記載された発明は、足の指先、足指の腹、足裏、踵などの操作を組み合わせて、文字コードなどを生成することができる。
【先行技術文献】
【特許文献】
【０００７】
【特許文献１】  特公昭５４−０１９３３８号公報
【特許文献２】  特許第２９７０４９４号公報
【特許文献３】  特開２０１０−０３３５２６号公報
【特許文献４】  特開２０１２−０５３６６１号公報
【発明の概要】
【発明が解決しようとする課題】
【０００８】  しかし特許文献１に開示された発明では、靴底の特定箇所に備えられたスイッチをステップに合わせて楽音を発生する装置であり、常に体重移動や姿勢の変化を伴うので、複雑な曲やテンポの速い曲を演奏することが困難であるという課題があった。【０００９】  また、特許文献２に開示された発明では、身体の各部に装着したコントローラを必要とするので、演奏曲目の自由度は大きいが、装置が大型化並びに複雑化する課題があった。【００１０】  さらに、特許文献３に開示された発明では、コンピュータ等のキー入力の一部を足指等に分担する装置であり、音楽の演奏で要求される迅速かつ正確なキー操作が困難であるという課題があった。【００１１】  そして、特許文献４に開示された発明では、主としてつま先（拇指）と拇指の腹を使用してキーを操作するので、キーを選択するときにつま先を左右に振る必要があり、キー位置と足先との相対的位置のずれを生じやすく、音楽の演奏で要求される迅速かつ正確なキー操作が困難であるという課題があった。【００１２】  本発明は、上記のような従来技術では未解決な課題に対処するために、人間の足指の動作特性に適合したキーボード構造及び楽音制御手段を有する電子楽器を提供することを目的とする。
【課題を解決するための手段】
【００１２】（足指で演奏する電子楽器の構成）
上記目的を達成するため、請求項１記載の発明は、足指で楽音キー入力が可能な足指入力用キーボードと、該キーボードからの入力信号を受けて所定の楽音コードを生成する楽音制御装置と、前記楽音コードに基づいて楽音を発生する楽音発生制御装置とで構成される電子楽器であることを特徴とする。【００１３】（足指入力用キーボードの構成）
また、請求項２記載の発明は、請求項１記載の電子楽器において、前記足指入力用キーボードは、踵から足根小球部（足指の付け根）までを載せる足載せ部、および前記足載せ部の前方に楽音入力キーを配置する領域を設けた基板と、前記基板の楽音入力キー配置領域に複数の楽音入力キーを備え、第１足指（拇指）乃至第５足指（小指）の各足指の腹部で押下可能な位置に楽音入力キーを配置したことを特徴とする。
このような構造のキーボードであれば、第１足指乃至第５足指の屈折・伸展操作によって楽音の高低や長短を自由に調節でき、メロディーが演奏できるという作用を有する。上記楽音入力キーは、ピアノ等の鍵盤楽器における鍵（キー）に相当する。【００１４】  また、請求項３記載の発明は、請求項２記載の足指入力用キーボードにおいて、第１足指（拇指）用と第５足指（小指）用に各々１の楽音入力キーを備え、第２足指（示指）、第３足指（中指）の２足指の屈折操作に対応する１の楽音入力キーを備えたことを特徴とする。
人間の足指の動作特性において、第１足指は独立して屈折及び上方へ伸展でき最も自由度が高い。次いで、第５足指は独立して伸展はできないが、第１足指乃至第５足指を伸展した状態で第１足指側を浮かせ気味にして第５足指を屈折することで、実質的に第５足指単独で楽音入力キーを押下することができる。第２足指乃至第４足指は、意識的に独立して屈折・伸展させることはできず、略同列的に動作する。特に第４足指は、第２・第３足指にも、第５足指にも連れ回り的に動作する。また、第２足指、第３足指においても、まったく同時に屈折する訳ではなく、何れかの指が優先して屈折すると考えられるが、第２足指及び第３足指が押圧できる大きさの楽音入力キーを採用すればよい。
このような人間の足指の動作特性を考慮して、足指の数より少ない数の楽音入力キーを設置することで、請求項２記載の発明に加えて無理・無駄のない楽音キー入力操作が可能になる。【００１５】  請求項４記載の発明は、請求項２又は請求項３記載の足指入力用キーボードにおいて、前記基板の前記楽音入力キー配置領域における前記楽音入力キーの取付位置及び高さを調節可能にしたことを特徴とする。
このように、楽音入力キーの取付位置（取付方向を含む）及び高さを調節可能にすることで、取付方向を含む楽音入力キーの位置を演奏者ごとに最適化でき、楽音入力キーの操作感と入力の正確さが向上する。
また楽音入力キーの操作面の高さに高低差をつけることで、各足指の太さや動作速度の違いなどに起因する入力タイミングのずれを吸収し、滑らかな演奏を可能にする。【００１６】（足入力用キーボードの楽音制御装置）
請求項５記載の発明は、請求項１記載の楽音制御装置であって、請求項２乃至請求項４記載の足指入力用キーボードからの信号の楽音制御において、第１足指用楽音入力キーからの信号、及び第５足指用の楽音入力キーからの信号、及び第２足指、第３足指の２足指の屈折操作に対応する楽音入力キーからの信号に基づいてそれぞれ１の楽音コードを生成し、複数の前記楽音入力キーの同時入力操作に対して、同時操作した楽音入力キーの組合せに応じた１楽音コードを生成することを特徴とする。
操作した楽音入力キーの単独又は組合せに応じた楽音コード生成制御をすることにより、少ない楽音入力キーに多くの楽音を割り当てることができ、発音制御可能な楽音の数を増やすことができる。【００１７】  請求項６記載の発明は、請求項１及び請求項５記載の足指入力用キーボードの楽音制御装置において、複数の楽音入力キーを同時入力した時に、特定の楽音入力キーの入力をキャンセルすることを特徴とする。
上記したように人間の足指動作において、第２足指乃至第４足指は個別に屈折することができず、略同列的に動作し、かつ、第２足指乃至第４足指を屈折するときに第５足指も付随的に屈折する動作特性がある。第２足指、第３足指で操作する楽音入力キーの入力操作時は、この第５足指の不要な動作による第５足指用楽音入力キーの入力信号を無視することで不所望な楽音の発生を抑制することができる。【００１８】  請求項７記載の発明は、請求項１及び請求項５及び請求項６記載の足指入力用キーボードの楽音制御装置において、右足用キーボードと左足用キーボードとを一体的に制御して楽音コードを生成することを特長とする。
このように左右一対のキーボードを連携して一体の足指入力用キーボードを構成して楽音制御を行うと、左右足指の連携動作が可能になり、左右両脚足指の同時入力操作に対しても楽音の割り当てが可能になる。その結果、少ない楽音入力キーに対してより多くの楽音を割り当てることができるとともに、左右の足指の一体感が生じて楽音入力が円滑に行えるようになる。【００１９】請求項８記載の発明は、請求項１及び請求項５乃至請求項７記載の足指入力用キーボードの楽音制御装置において、一方脚の足指入力用キーボードの特定の足指の楽音入力キーを、そのキー単独の入力操作では楽音信号を発しないシフトキーに設定し、該シフトキー操作時は、他方脚の足指入力用キーボードの楽音入力キーは、上記シフトキーの非操作時とは異なる楽音コードを生成するように設定したことを特徴とする。
このように左右一対の足指入力用キーボードを一元化して特定の足指の楽音入力キーをシフトキーに設定して楽音制御することで、楽音入力キーの数を増やすことなく制御可能な楽音の数を増やすことができ、音域の拡大を図れる。【００２０】（楽音発生制御装置）
請求項９記載の発明は、請求項１及び請求項５乃至請求項８記載の足指入力用キーボードの楽音制御装置を有する電子楽器の楽音発生制御装置において、特定の楽音に対して半音上り又は半音下りの楽音を予め並列的に保持しておき、曲の調（しらべ）に応じて切替可能にしたことを特徴とする。
このように、特定の楽音に対して半音上り又は半音下りの楽音を予め並列的に保持し切替可能にすることで、ヘ長調やニ長調などに特有の半音、例えばヘ長調の場合の「フラット付のシ（Ｂ♭）」やニ長調の場合の「シャープ付のファ（Ｆ＃）」の楽音を予め保持しておき、１つの楽音入力キーに、基本のハ長調の楽音と、前記半音上り又は半音下りの楽音の、２つの楽音を設定しておき、曲目の調に応じて基本のハ長調と切替可能にすることで、半音入力用楽音キー（ピアノ等の黒鍵）を設けることなく演奏可能な曲目を増やすことができ、楽音入力キー数の増加を抑制することができるとともに、演奏の容易化が図れる。【００２１】  請求項１０記載の発明は、請求項１及び請求項５乃至請求項９記載の足指入力用キーボードの楽音制御装置を有する電子楽器の楽音発生制御装置において、所望する楽音の周波数の音を発生する楽音発生制御と、前記楽音周波数に対して１Ｈｚ以上相違する２以上の異なる周波数の楽音を同時並列的に発生する発音制御とを切替可能にしたことを特徴とする。
このように、１の楽音入力キー操作で、目標周波数のみの楽音を発生する発音制御と、目標周波数に対して１Ｈｚ以上相違した２以上の異なる周波数の楽音を並列して同時に発生する発音制御とを切替可能にしたので、必要に応じてビブラート演奏や和音演奏をすることができる。
【発明の効果】
【００２２】  以上説明したように、本発明の請求項１記載の電子楽器においては、足指で楽音キー入力操作が可能な足指入力用キーボードと、該キーボードからの入力信号を受けて所定の楽音コードを生成する楽音制御装置と、前記楽音コードに基づいて楽音を発生する楽音発生制御装置とで構成されるので、足指を使って音楽を演奏する楽器を容易に構成できるという効果を奏する。
また、足指を意識的に動かすことは、ふくらはぎの筋肉を動かすことであり、２０１６年４月に発生した熊本地震の被災者が数多く罹患した「エコノミークラス症候群」に対する顕著な予防効果という身体的効果が期待できる。
さらに、足指で楽器を演奏するときは、曲の記憶または楽符等の視覚による音楽情報を、日常的には動かし慣れていない足指の動作に変換し、発音した楽音のリズム（発音継続時間）や楽音の高低（周波数）の適否を判断しつつ、それを次の足指の動作にフィードバックしつつメロディーを奏でるという一連の動作を繰り返すことになり、手指による楽器の演奏にも増して、脳の記憶領域や視覚領域、運動制御領域、聴覚領域などの脳神経活動が複合的に活発化され、その結果として高齢者の認知症を予防するという身体的効果も期待できる。【００２３】  本発明を上記の疾病予防や健康増進の観点から見ると、従来の健康体操や健康増進装置は、健康に良いことは理解されても、概して同じ動作の繰り返しであって、単調であり、飽き易く長続きしにくい（継続意欲の減退）という課題があった。これに対して本発明は、健康増進の効果が演奏技術の上達（滑らかな演奏）や、演奏曲目の高度化（簡単な童謡から始めて、賛美歌やポップス等へのレベルアップ）という、感覚的かつ客観的な変化として認識できるため、従来の健康体操や健康増進装置に比べて、運動を継続する意欲の維持向上が図られるという顕著な効果が期待できる。【００２４】  また、本発明の請求項２記載の足指入力用キーボードにおいては、第１足指乃至第５足指の屈折・伸展操作で楽音の高低や長短を調節できるので、足指の操作だけで音楽を演奏できるという従来技術にない効果を奏する。【００２５】  本発明の請求項３記載の足指入力用キーボードによれば、請求項２記載の発明の効果に加えて、楽音入力キーの数を人間の足指の動作特性を考慮した数に制限したので、無理・無駄のない楽音キー入力操作ができるという効果を奏する。【００２６】  本発明の請求項４記載の発明によれば、楽音入力キーの取付位置及び楽音入力キーの操作面の高さを調節可能にしたので、取付位置を調節することで演奏者ごとに楽音入力キーの位置を最適化でき、楽音入力キーの操作感の向上が得られる。また、楽音入力キーの操作面の高さに高低差をつけて調節することで、各足指の太さや動作速度の違いなどに起因する入力タイミングのずれを吸収し、滑らかな演奏を可能にするという効果を奏する。【００２７】  本発明の請求項５記載の発明によれば、楽音入力キーへの楽音の割り当てにおいて、各楽音入力キーに夫々異なる１楽音を割り当てるとともに、複数の楽音入力キーの同時入力操作に対して、同時操作した楽音入力キーの組合せに応じて、１楽音を割り当てたので、少ない楽音入力キーに多くの楽音を割り当てられるという効果を奏する。【００２８】本発明の請求項６記載の発明によれば、複数の楽音入力キーの同時入力操作時に、特定の楽音入力キーの入力をキャンセルすることとしたので、特定足指（第５足指）の付随的な屈折動作による不所望な楽音の発生を抑制できるという効果を奏する。【００２９】  本発明の請求項７記載の発明によれば、左右一対のキーボードを連携して一体の足指入力用キーボードを構成して楽音制御を行うようにしたので、左右足指の連携動作が可能になり、左右両脚の足指の同時入力操作に対しても楽音の割り当てが可能になり、限られた数の楽音入力キーに対して、より多くの楽音を割り当てられるとともに、左右の足指の一体感が生じて楽音入力が円滑化するという効果を奏する。【００３０】  本発明の請求項８記載の発明によれば、左右一対の足入力用キーボードの一方脚の特定足指の楽音入力キーをシフトキーに設定し、該シフトキー操作時は、他方脚の足指入力用キーボードの楽音入力キーは、上記シフトキーの非操作時とは異なる楽音コードを生成するように設定したので、少ない楽音入力キーに多くの楽音を割り当てることができ、制御可能な楽音の数を増やすことができるという効果を奏する。【００３１】  本発明の請求項９記載の発明によれば、基準となる調（例えばハ長調）以外の調（例えばヘ長調）に固有の、基準のハ長調の楽音に対して半音上り又は半音下がりの楽音（例えばヘ長調のフラット付シ）を予め並列的に保持しておき、曲目の調に応じて、基準のハ長調の楽音と前記半音上下した楽音とを切替可能にして、楽音入力キーの数を増やさずに演奏可能な曲目を増やせるという効果を奏する。【００３２】  本発明の請求項１０記載の発明によれば、１の楽音入力キー操作で、目標周波数のみの楽音を発生する制御と、目標周波数に対して１Ｈｚ以上相違した２以上の異なる周波数の楽音を同時に発生する発音制御とを切替可能にしたので、必要に応じてビブラート演奏や和音演奏に切替えることができるという効果を奏する。
【図面の簡単な説明】
【００３３】
【図１】電子楽器の概観図
【図２】左右キーボードの斜視図
【図３ａ】楽音入力キースイッチの構造（機械的伝達機構を有する型）
【図３ｂ】楽音入力キースイッチの構造（機械的伝達機構を有しない直動薄型）
【図４】男女足型の比較図
【図５】楽音入力キー踏み板の取付構造（高さ）
【図６】リレーによる楽音制御回路とタイマーＩＣとＲＣの組合わせによる楽音発生制御回路
【図７】ビブラート効果を切替可能な実施例の構造
【発明を実施するための形態】
【００３４】本発明の足指で演奏する電子楽器は、足指の操作でリズミカルに楽音を入力して音楽を演奏する楽器である。以下、本発明の足指で演奏する電子楽器の実施例について図１乃至図７を参照しながら具体的に説明する。
【実施例１】
【００３５】（電子楽器の全体構成）
本実施例の足指で演奏する電子楽器は、足指で楽音キー入力が可能な足指入力用キーボードと、該キーボードの楽音入力キーからの入力信号に応じて所定の楽音コードを生成する楽音制御装置と、前記楽音コードに基づいて楽音を発生する楽音発生制御装置とで構成される。
図１は本実施例の足指で演奏する電子楽器の概観図である。図２は左右キーボードの入力キーの配置を表わしている。
図１に示すように、本実施例の足指で演奏する電子楽器１は、平面視略正方形の筐体１００の内部に、足指で楽音キー入力が可能な左右一対の足指入力用キーボード２Ｒ、２Ｌと、該キーボード２Ｒ、２Ｌを仕切るように筐体中央部に電子装置収納領域を配置した。該電子装置収納領域には、図の右側からスピーカーボックス６５、楽音発生制御装置６及び楽音制御装置４、並びに前記楽音制御装置４及び楽音発生制御装置６に電力を供給する電源装置７０が縦一列に収納されている。
このような装置配置にすることで、上記左右キーボード２の楽音入力キー３からの信号に応じて所定の楽音コードを生成する楽音制御装置４と前記キーボード２と楽音制御装置４を接続する信号線５と、該楽音制御装置４が生成した楽音コードに基づいて楽音を発する楽音発生制御装置６を含む電子楽器１をコンパクトに構成できる。
また、電子楽器１を一体式に構成したので、使用時には蓋１０１を適度な傾斜角に開いて演奏を行い、保管時には筐体の蓋１０１を閉じておくことができる。また、運搬時には蓋１０１を閉じて把持部１０３を持って自由に移動できる。さらに、重量配分を左右均等にして重心の偏りをなくし、持ち運びしやすい構造にしてある。（図１、図２参照）
なお、本実施例の電子楽器１は、前記足指入力用キーボード２と、前記楽音制御装置４と、前記楽音発生制御装置６等を別体に、又は一部合体して構成することができる。【００３６】  図１及び図２に示すように、足指入力用キーボード２は基板１０を有し、該基板１０の上面に、踵から足根小球部（足指の付け根）までを載せる足載せ部１０Ａ、及び前記足載せ部の身体方向前方に楽音入力キー３を配置する領域１０Ｂを設けてある。【００３７】  前記足指入力用キーボード２は片脚当たり３つの楽音入力キー３を備える。以下、入力操作する足指で楽音入力キーを区別するときは３０１、３０２、３０５の符号を付し、左右足で区別するときは左脚の足指には数字の後にＬを追加し、右脚の足指には数字の後にＲを追加して区別する。図２に示すように、第１足指（拇指）で押下可能な態様の楽音入力キー３０１と、第２足指（示指）、第３足指（中指）で押下可能な態様の楽音入力キー３０２と、第５足指（小指）で押下可能な態様の楽音入力キー３０５が位置調節可能に固定されている。第４足指は、前記のとおり第２・第３足指の動作にも、第５足指の動作にも連れ回り的に動作するので、上記楽音キー３の位置調節時に、第４足指を第２・第３足指の群（楽音入力キー３０２）に入れても、第５足指の群（楽音入力キー３０５）に入れても、キーボードを操作する上で問題とならない。
楽音入力キー３を位置調節可能な構造としたのは、個人差および習熟による最適キー位置の変化に対応するためである。左脚の足指入力用キーボード２Ｌ及び右脚の足指入力用キーボード２Ｒは左右対称形に作られている。【００３８】  前記楽音入力キー３は、電気的スイッチ３Ａと、足指の挙動を前記電気的スイッチに伝達する楽音入力キー操作子３Ｂとで構成される。楽音入力キー操作子３Ｂは、足指の腹で押下するための略平坦な面（操作面）を有する踏み板３Ｂ１と、足指の押下又は開放挙動を前記電気的スイッチＡの開閉（オン・オフ）状態に変換する機械的伝達機構３Ｂ２とで構成される（図３ａ）。ただし、扁平な電気的スイッチを用いる場合は、前記機械的伝達機構３Ｂ２を省略して、前記足指の腹で押下するための踏み板３Ｂ１の直下に、前記電気的スイッチ３Ａを配置してもよい（図３ｂ）。なお、上記楽音入力キースイッチ３Ａは電気的スイッチに限られないが、メリハリのある出力信号が得られるものが好ましい。【００３９】  本発明の足指入力用キーボード２の各楽音入力キー３０１、３０２、３０５は、上述のように取付方向を含む取付位置及び取付高さが調節可能である。この特徴について図４及び図５を用いて説明する。図４は、足の大きさと足指の押圧点の個人差を表わしている。太線は成人男子の足型Ｍ（履物サイズ：２６センチ）、実線は成人女子の足型Ｆ（履物サイズ：２２．５センチ）を表わしている。
前記２つの足型Ｍ及びＦのつま先と内側を一致させた場合、第１足指（拇指）では男子の押圧点ＭＰ１と女子の押圧点ＦＰ１は縦方向及び横方向にずれているのが認められる。第２足指（示指）では、男子の押圧点ＭＰ２と女子の押圧点ＦＰ２は縦方向のずれは殆どなく横方向に若干のずれが認められる。第３足指（中指）では足幅の相違が男子の押圧点ＭＰ３と女子の押圧点ＦＰ３の位置の相違に現れており、縦方向のずれは小さいが横方向のずれが大きくなっている。第４足指（薬指）では男子の押圧点ＭＰ４と女子の押圧点ＦＰ４は縦方向及び横方向のずれが顕著であり、男子の足型Ｍの第４足指（薬指）の押圧点ＭＰ４と女子の足型Ｆの第５足指（小指）の押圧点ＦＰ５が略一致している。【００４０】  上記例のように、第１足指乃至第５足指の押圧点の位置は個人差があるので、楽音入力キー３０１、３０２、３０５の取付位置及び取付方向を演奏者に適した位置及び方向に簡単迅速に調整可能とする必要がある。簡便な調節固定手段としては、面ファスナーの使用や、ピンと穴開きプレートの組合せや、磁石と鉄板等の強磁性体の組合せによる固定手段が挙げられる。【００４１】  図５は本発明の足指入力用キーボード２の各楽音入力キー３０１、３０２、３０５の取付高さの具体例を示している。図５において各キーの踏み板端面の高さを斜線部で表わしている。このように第２、第３足指用楽音入力キー３０２の踏み板は第５足指用楽音入力キー３０５の踏み板より相対的に高い位置に設定してある。楽音入力キー操作子の踏み板に高低差をつけることで、各足指の太さや動作速度（機敏さ）の違いなどに起因する入力タイミングのずれを吸収でき、滑らかな演奏が可能になる。
本発明においては楽音入力キー３に優先順位を設けて、第２足指、第３足指用楽音入力キー３０２を入力した場合に付随的に入力されてしまう第５足指用楽音入力キー３０５の入力信号をキャンセルすることにしている。しかし楽音入力キー３０５の入力が一瞬でも先に行われると、楽音入力キー３０５固有の楽音が一瞬発音され、それから所定の楽音入力キー３０２の楽音に切替わる現象が起きるときがある。このような過渡的な混音現象を効果的に抑制するために、楽音入力キー３０２の踏み板を楽音入力キー３０５の踏み板より相対的に高い位置に（足指に近づけて）固定している。このように踏み板に高低差を付けることで、楽音入力キー３０２の操作時に付随的に入力される楽音入力キー３０５より、楽音入力キー３０２を先に入力できるようにしている。【００４２】  本発明の楽音制御装置４は、前記足指入力用キーボードの楽音入力キー３からの信号を入力して楽音コードに変換し、後続する楽音発生制御装置６に出力する機能を果たす。
既述のように、第１足指は独立して屈折及び上方へ伸展でき、最も自由度が高い足指と考えられる。第５足指は独立して伸展はできないが、第１足指乃至第５足指を伸展させた状態で第１足指側を浮かせ気味にすれば、第５足指単独で楽音入力キーを操作することができる。第２足指乃至第４足指は独立して屈折・伸展は出来ず、略同列的に動作する。第４足指は第５足指とも連れ回り的に動作する。
このような足指の動作特性を考慮して足指入力用キーボードの入力パターンを検討すると次のような構成が考えられる。【００４３】  楽音入力キー３０５は第１足指側を浮かせ気味にして第５足指単独で操作して入力する。楽音入力キー３０２は第１足指を上方へ伸展して第２足指、第３足指を屈折して入力する。このとき付随的に入力される楽音入力キー３０５の入力信号をキャンセルする。楽音入力キー３０１は第２足指乃至第５足指を浮かせ気味にして第１足指を単独で屈折して入力する。入力パターンとして、前記キーの単独入力以外に第１足指並びに第２足指、第３足指を屈折して入力する合成楽音キー３０４が考えられる。（３０５の入力は無視する）この入力パターンを左右脚の足指に適用すると、８通りの入力パターンが得られ、「ドレミファ」及び「ソラシド」の８音（１オクターブ）が入力可能となり、童謡や民謡、唱歌などの曲目が演奏できる。楽音入力キー３の入力信号と出力する楽音の具体例を表１に示す。表１中「○」は入力オン、「×」は入力オフを表わす。【００４４】
【表１】
2017215557.tif 000003
【００４５】  上記表１の楽音制御及び楽音発生制御を行なう電子回路の例を図６に示す。上記表１の楽音制御及び楽音発生制御を行う図６の電子回路は、小型リレーの組合せによる楽音制御回路４１と、タイマーＩＣとＣＲ回路を組み合わせた楽音発生制御回路６１を用いたものである。左右両脚の足指入力用キーボード２（ＲＬ）の各楽音入力キー３０１（ＲＬ）、３０２（ＲＬ）、３０５（ＲＬ）に対応する２極の小型リレーを備え、楽音入力キー３の電気的スイッチのオン・オフで小型リレーの駆動コイルを制御する。図中、リレーコイルとリレー回路を連結する破線は、リレーコイルが駆動するリレー接点との関係を表わしている。
このリレー回路による楽音制御では、３０２（ＲＬ）に対応する小型リレーのＢ接点（コイル無通電時閉、通電時開）を利用して楽音キー３０２（ＲＬ）入力時の３０５（ＲＬ）の入力をキャンセルしている。また、３０１（ＲＬ）と３０２（ＲＬ）の両方のＡ接点が閉（両方オン）のときレ（Ｄ４）又はシ（Ｂ４）の楽音を発生させている。
楽音発生制御回路６１はタイマーＩＣ（５５５）にコンデンサと半固定抵抗器を組み合わせた一般的な楽音発生回路である。上記発音制御回路４１が前記楽音制御装置４に相当し、上記発音制御回路６１が前記楽音発生制御装置６に相当する。
【実施例２】
【００４６】  上記実施例１では、楽音コード発生装置をリレー回路で、楽音発生制御装置をタイマーＩＣとＣＲ回路で構成したが、これら２つの装置の働きを１つのマイコンで代替することができる。
具体的には、左右脚用楽音入力キー３０５Ｌ、３０２Ｌ、３０１Ｌ、３０１Ｒ、３０２Ｒ、３０５Ｒの電気式スイッチの状態を２進数６桁の数値として把握し、前記スイッチのオン状態を１、オフ状態を０であらわす。
上記表１の例で、無音は「００００００」の値となる。ド（Ｃ４）の楽音は「１０００００」の値になり、ソ（Ｇ４）は「０００１００」の値になる。また、楽音キー３０２ＲＬを入力したときに楽音キー３０５ＲＬをキャンセルするには、楽音キー３０５ＲＬが「０」と「１」の値をとることを許容し、３０５ＲＬの入力を無視して実質的にキャンセルする。例えばレ（Ｄ４）は「０１１０００」と「１１１０００」の２つの値をとる。ラ（Ａ４）は「００００１０」と「００００１１」の２つの値をとる。【００４７】  上記のように２進数として捉えた各楽音キーの状態を１０進数に変換すると、無音状態は２進数で「００００００」で表わされ、１０進数に変換すると｛０×２＾５＋０×２＾４＋０×２＾３＋０×２＾２＋０×２＾１＋０×２＾０｝であり「０」となる。
ド（Ｃ４）は「１０００００」で表わされ｛１×２＾５＋０×２＾４＋０×２＾３＋０×２＾２＋０×２＾１＋０×２＾０｝であり１０進数では「３２」となる。
同様にしてソ（Ｇ４）は「４」となる。楽音キー１０５のキャンセルを行うレ（Ｄ４）は「２４、５６」の２つの値をとり、ラ（Ａ４）は「２、３」の２つの値をとる。（表２参照）【００４８】
【表２】
2017215557.tif 000004
【００４９】  このようにして楽音入力キーの状態を０と１の２進数値として捉えて１０進数に変換し、１０進数の値に対応する楽音を設定して楽音コードにすれば、マイコン上での後処理（楽音発生制御）が容易になる。
【実施例３】
【００５０】  さらに左右脚キーボードの指足を左右同時に入力操作する合成キーを考慮すれば、左右脚の第１足指を同時に屈折して入力する合成楽音キー３０１４と、左右の第２足指、第３足指を屈折して入力する合成楽音キー３０２４と左右の第５足指を同時に屈折して入力する合成キー３０５４や、第１足指並びに第２足指、第３足指を屈折して入力する合成楽音キー３０４４などが考えられる。左右の足指を連動して同時入力する場合は、第１足指同士、第２足指同士のような対称な足指の組合せが好ましい。【００５１】  左右一対のキーボードの連携により足指入力用キーボードを一体化して楽音コードを生成する応用例として、何れか特定のキーをシフトキーに設定し、当該シフトキーには楽音を設定せず、他のキーに異なる２楽音を設定し、前記シフトキーを操作しながら他の楽音キーを押した場合にはシフトキー非操作時とは異なる楽音を発生させることができる。
例えば右脚の第５足指で入力するキー３０５Ｒをシフトキーに設定して、左脚のキー３０１Ｌ乃至キー３０５Ｌ及び合成キー３０４Ｌを操作することで、制御可能な楽音の範囲を拡張することができる。具体例として、シフトキー３０５Ｒを押しながら左脚第５足指のキー３０５Ｌの入力に対してド（Ｃ５、５２３Ｈｚ：合成キー３０５ＬＳ）、同様にキー３０２Ｌの入力に対してレ（Ｄ５、５８７Ｈｚ：合成キー３０２ＬＳ）キー３０１Ｌの入力に対してミ（Ｅ５、６５９Ｈｚ：合成キー３０１ＬＳ）、合成キー３０４Ｌの入力に対してファ（Ｆ５、７４０Ｈｚ：合成キー３０４ＬＳ）を設定した。
上記のような方法で楽音入力キーからの入力信号を楽音コードに変換すると、３０５Ｒのシフトキー化によるマイナス１楽音（表２におけるＣ５、５２３Ｈｚ）を差引いても新たに３楽音を追加設定できる。【００５２】  左右一対のキーボードを連携して一体の足指入力用キーボードを構成して楽音制御する上記２種類の楽音制御を、表１の楽音設定に追加した例を表３に示す。【００５３】
【表３】
2017215557.tif 000005
【００５４】  表３の例では、低いソ（Ｇ３、１９６Ｈｚ）から低いシ（Ｂ３、２４７Ｈｚ）までの楽音を、上記左右脚キーボードの左右足指同時入力操作による合成キー３０４４〜３０１４でカバーし、高いド（Ｃ５、５２３Ｈｚ）から高いファ（Ｆ５、７４０Ｈｚ）までを上記シフトキー操作による合成キー３０５ＬＳ〜３０１ＬＳでカバーすることで、低いソ（Ｇ３、１９６Ｈｚ）から高いファ（Ｆ５、７４０Ｈｚ）まで約２オクターブに相当する１４楽音を制御可能にしている。
この設定以外の楽音設定も自由であり、用途や曲目に応じた楽音設定が採用できる。また、シフトキーは足指入力用キーに限られず、例えば足首の左右のひねりを検出するスイッチや、足裏全体を前後左右に移動させ、その動きを検出するスイッチなどであってもよいし、身体の他の部位の動きを検出するものであってもよい。また複数のシフトキーを用いることができる。
【実施例４】
【００５５】  本実施例の楽音発生制御装置は、ヘ長調やニ長調などに特有の半音キー、例えばヘ長調の場合の「シのフラット付（Ｂ♭）」を予め並列的に保持し、基本となるハ長調の楽音キーと、曲目の調（しらべ）に応じて前記半音とを設定切替可能にして、ピアノ等の黒鍵を省略し、少ない数の楽音入力用キーで多くの曲目の演奏を可能にする。【００５６】  本実施例では、前記６個の足指用楽音入力キー（３０１Ｌ、３０２Ｌ、３０５Ｌ、３０１Ｒ、３０２Ｒ、３０５Ｒ）の上位又は下位に１以上の調（しらべ）設定スイッチを規定する。例えば調（しらべ）設定スイッチを２個にすれば４つの調（しらべ）を選択でき、設定スイッチ３個の場合は８つの調（しらべ）が選択可能になる。調（しらべ）設定スイッチはオン・オフ状態を保持するタイプのスイッチが好ましい。
調（しらべ）設定スイッチが２個の場合は、６個の足指用楽音入力キースイッチと合計して８個のスイッチのオン・オフ状態を１又は０で表わして２進法８桁の数字と捉え、これを１０進数に変換して楽音コードを発生させる。２進数を１０進数に変換する変換式と楽音コードをコンピュータに記憶しておき、楽音入力キーの入力操作に応じて、調（しらべ）に対応した楽音コードをスピーカ等の発音装置に出力することで、調（しらべ）に合致した演奏が可能になる。２切替スイッチ（４調（しらべ））、１オクターブ分の楽音コード表の一部を表４に示す。
実際の楽音コードテーブルは、調（しらべ）切替スイッチの４状態に応じたコードを含むが、例示には冗長すぎるので特徴的なコードのみ表４に示した。
なお、ハ長調（半音キーなし）はＫＳＷ１オフ、ＫＳＷ２オフ。ヘ長調（シ♭）はＫＳＷ１オフ、ＫＳＷ２オン。ト長調（ファ＃）はＫＳＷ１オン、ＫＳＷ２オフ。ニ長調（ド＃、ファ＃）はＫＳＷ１オン、ＫＳＷ２オンと設定する。【００５７】
【表４】
2017215557.tif 000006
【実施例５】
【００５８】  楽音入力キー及び調（しらべ）設定スイッチ以外にも、２進数１０進数化を応用すると、目標周波数に近接した２以上の異なる周波数の楽音を発生させて「うなり」によるビブラート類似の音響効果を生じさせることができる。また、単独の楽音と和音とを切替えたり、楽音の音色を切替えたりすることができる。【００５９】  通常の鍵盤楽器は全音又は半音の音程で楽音を段階的に配置してあるので、周波数が近接した２以上の異なる周波数の音の重なりによる物理現象の「うなり」は殆ど聞き取れない。しかし前記「うなり」現象を鍵盤楽器に利用すると弦楽器や管楽器の演奏におけるビブラートに類似する演奏効果を容易にだすことができる。
本実施例では、演奏効果切替スイッチを切替えることで、所望する楽音の入力キー操作に対して、目標周波数のみの楽音を発生する制御と、目標周波数に対して１〜１０Ｈｚ相違した２以上の異なる周波数の楽音を同時に発生する発音制御とを切替え可能にして、必要に応じてビブラート類似の演奏効果を演出している。【００６０】  具体例として図７に示すような、２系統の楽音発生制御装置（楽音発生制御装置６２及び楽音発生制御装置６３）を備え、６つの楽音入力キー（３０５Ｌ、３０２Ｌ、３０１Ｌ、３０１Ｒ、３０２Ｒ、３０５Ｒ）の上位にビブラートスイッチ（ＶＳＷと略す）を加えた７つのキー（スイッチ）構成を例に説明する。（表５）
表５において。ＶＳＷがオフのときに楽音入力キー１０５Ｌ（Ｃ４）を押すと、キーの状態は「０１０００００」であり楽音コード「３２」を発生する。
ＶＳＷがオンのときに楽音入力キー１０５Ｌ（Ｃ４）を押すと、キーの状態は「１１０００００」であり楽音コード「９６」を発生する。
上記楽音発生制御装置６２（ＭＣ１）の楽音コード‐周波数変換テーブルでは、楽音コード「３２」に対応する発生周波数を２６２Ｈｚ（＝Ｃ４）、楽音コード「９６」に対応する発生周波数を２６０Ｈｚ（Ｃ４−２Ｈｚ）に設定してある。
上記楽音発生制御装置６３（ＭＣ２）の楽音コード−周波数変換テーブルでは楽音コード「３２」に対応する発生周波数を２６２Ｈｚ（＝Ｃ４）、楽音コード「９６」に対応する発生周波数を２６４Ｈｚ（Ｃ４＋２Ｈｚ）に設定してある。
ビブラートスイッチ（ＶＳＷ）を切替えることで、２系列の楽音発生制御装置から同一の楽音を発生させる制御と、近接した異なる周波数の楽音を発生させてビブラート類似効果を発生させる制御とを選択できる。表中のファ（Ｆ４）及び他の楽音についても同様の演奏効果切替制御を行うことができる。【００６１】
【表５】
2017215557.tif 000007
【００６２】  ビブラートを効果的に演出する周波数差は２〜１０Ｈｚであり、好ましくは３〜８Ｈｚである。目標周波数に対する発音周波数の偏差は、表５のように均等に設定してもよいし、偏らせて設定してもよい。楽音の周波数差が大きいほどビブラートが細かくなる。
また、複数の演奏効果切替スイッチ、及び対応可能な楽音制御装置を設けることで、上記ビブラート類似効果以外に、１の楽音入力キー操作で和音を形成する２以上の楽音を発生させることもできる。
【産業上の利用可能性】
【００６３】  請求項１乃至１０に記載された発明は、足指を使って演奏し演奏者や聴衆に娯楽を与える新規な楽器としての利用が可能であり、また日常は意識的に動かすことが少ない足指の運動を通じて、下肢のみならず頭脳および身体全般の活性化を図る健康増進装置としての利用も可能である。特に楽譜等を見てそれを足指の動きに反映させ、自身の耳で演奏状態を聴きながら次の演奏にフィードバックする行為を繰り返す過程で、視覚、脳（記憶領域）、聴覚、足指の運動中枢等の統合が円滑化するという全身的効果が期待される。
【符号の説明】
【００６４】１      電子楽器
１００  筐体
１０１  蓋
１０２  ストッパー
１０３  把持部
２      足指入力用キーボード
２Ｒ    右脚足指入力用キーボード
２Ｌ    左脚足指入力用キーボード
１０    基板
１０Ａ  足載せ部
１０Ｂ  楽音入力キー配置領域
３      楽音入力キー
３Ａ    電気的スイッチ
３Ｂ    楽音入力キー操作子
３Ｂ１  踏み板
３Ｂ２  機械的伝達機構
３０１  第１足指用楽音入力キー
３０２  第２・第３足指用楽音入力キー
３０４  第１足指及び第２・第３足指屈折入力による合成楽音キー
３０５  第５足指用楽音入力キー
３０１４  左右脚の第１指足同時屈折入力による合成楽音キー
３０２４  左右脚の第２・第３足指屈折入力による楽音合成キー
３０４４  左右脚の第１足指及び第２・第３足指屈折入力による合成楽音キー
３０５４  左右脚の第５指足同時屈折入力による合成楽音キー
４      楽音制御装置
４１    楽音制御回路
５      信号線
６      楽音発生制御装置
６１    楽音発生制御回路
６２    第１の楽音制御兼楽音発生制御装置（マイコン１：ＭＣ１）
６２１  第１のオーディオアンプ
６３    第２の楽音制御兼楽音発生制御装置（マイコン２：ＭＣ２）
６３１  第２のオーディオアンプ
６５    スピーカーボックス
７０    電源装置
Ｆ      成人女子の足型
ＦＰ１  女子の第１足指の押圧点
ＦＰ２  女子の第２足指の押圧点
ＦＰ３  女子の第３足指の押圧点
ＦＰ４  女子の第４足指の押圧点
ＦＰ５  女子の第５足指の押圧点
Ｍ      成人男子の足型
ＭＰ１  男子の第１足指の押圧点
ＭＰ２  男子の第２足指の押圧点
ＭＰ３  男子の第３足指の押圧点
ＭＰ４  男子の第４足指の押圧点
ＭＰ５  男子の第５足指の押圧点
ＶＳＷ  ビブラートスイッチ
ＶＳＷＩ  ビブラートスイッチ・インジケータ
【図１】
2017215557.tif 000008
【図２】
2017215557.tif 000009
【図３】
2017215557.tif 000010
【図４】
2017215557.tif 000011
【図５】
2017215557.tif 000012
【図６】
2017215557.tif 000013
【図７】
2017215557.tif 000014
【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
足指で入力可能な楽音キーを備えた足指入力用キーボードと、該キーボードからの入力信号を受けて所定の楽音コードを生成する楽音制御装置と、前記楽音コードに基づいて楽音を発生する楽音発生制御装置とで構成され、 
前記足指入力用キーボードは、踵から足根小球部までを載せる足載せ部、および前記足載せ部の前方に楽音入力キーを配置する領域を設けた基板と、前記基板の楽音入力キー配置領域に複数の楽音入力キーを備え、第１足指乃至第３足指及び第5足指の各足指の腹部で押下可能な位置に楽音入力キーを配置し、
第１足指用と第５足指用に各々１の楽音入力キーを備え、第２足指、第３足指の２足指の屈折操作に対応する１の楽音入力キーを備えたことを特徴とする電子楽器。  
【請求項２】
前記足指入力用キーボードは、前記基板の前記楽音入力キー配置領域における前記楽音入力キーの高さを調節可能にしたことを特徴とする請求項１記載の電子楽器。
【請求項３】
前記足指入力用キーボードからの信号の楽音制御において、第１足指用楽音入力キーからの信号、及び第５足指用楽音入力キーからの信号、及び第２足指、第３足指の２足指の屈折操作に対応する楽音入力キーからの信号、及び第１足指用楽音入力キーと第２足指、第3足指用楽音入力キーの同時入力信号に対して、夫々１楽音コードを生成することを特徴とする請求項１記載の電子楽器。
【請求項４】
前記足指入力用キーボードからの信号の楽音制御において、複数の楽音入力キーを同時入力した時に、特定の楽音入力キーの入力をキャンセルすることを特徴とする請求項３記載の電子楽器。
【請求項５】
前記足指入力用キーボードからの信号の楽音制御において、右脚足指用キーと左脚足指用キーの同時入力信号に対して、左右脚の足指の組合せに応じた１楽音コードを生成することを特徴とする請求項１、３、４の何れかに記載の電子楽器。
【請求項６】
前記足指入力用キーボードからの信号の楽音制御において、一方脚の足指入力用キーボードの特定足指の楽音入力キーを、そのキー単独の入力操作では楽音信号を発しないシフトキーに設定し、該シフトキー操作時は他方脚の足指入力用キーボードの楽音入力キーはシフトキー非操作時とは異なる楽音コードを生成するように設定したことを特徴とする請求項５記載の電子楽器。
【請求項７】
前記楽音発生制御装置は、特定の楽音に対して半音上り又は半音下りの楽音を予め並列的に保持しておき、曲の調に応じて切替可能にしたことを特徴とする請求項１、３、４、５、６の何れかに記載の電子楽器。
【請求項８】
前記楽音制御装置は、所望する周波数の楽音を発生する楽音発生制御と、前記楽音周波数に対して１Ｈｚ以上相違する２以上の異なる周波数の楽音を同時並列的に発生する楽音発生制御とを切替可能にしたことを特徴とする請求項１、３、４、５、６、７の何れかに記載の電子楽器。
【請求項９】
扁平な筐体と、該筐体の上面を開閉自在にする筐体の蓋と、筐体の一側面に設けた把持部とからなる外装ケースに、
その外装ケースの内部左右端に左脚用前記足指入力用キーボード及び右脚用前記足指入力用キーボードを夫々配置し、
前記左脚用足指入力用キーボードと右脚用足指入力用キーボードの中間に該左脚用足指入力用キーボードと右脚用足指入力用キーボードとを左右に仕切るかたちに電子装置収納領域を配置し、
該電子装置収納領域には、スピーカーボックスと、前記楽音制御装置及び前記楽音発生制御装置と、前記楽音制御装置及び前記楽音発生制御装置に電力を供給する電源装置とを、配置収納し、携行可能な一体式とした請求項１記載の電子楽器。
【手続補正２】
【補正対象書類名】明細書
【補正対象項目名】全文
【補正方法】変更
【補正の内容】
【発明の詳細な説明】
【技術分野】
【０００１】
本発明は、足指で演奏する電子楽器に係り、特に、人間の足指の動作特性に適合したキーボード構造及び楽音制御手段を備えた電子楽器に関する。          
【背景技術】
【０００２】
従来の楽器は、一般に上肢、特に手指を駆使して演奏するように作られていた。しかしこれら従来の手指を使って演奏する楽器では、手指に障害がある場合や、手指以外の身体部位、特に足指を使って楽器を演奏しようとすることは困難であった。足指は二足歩行に適するように骨格・筋肉群が構成され、かつ無意識的な体重移動や身体姿勢保持ができるように機能付けられている。このため手指に比べて動作を意識的にコントロールし難いという特性があり、また手指に比べて可動範囲も狭い。したがって足指操作用キーの配置は、単にキーを並列的に配置しただけでは機能せず、足指の屈折・伸展、横方向への拡張・縮小、ひねりなどの動作に適合したものでなければならないという課題があった。
【０００３】
下肢を用いて演奏や機器入力を行うものとして、例えば特許文献１には「音楽の鳴る靴」という名称で、足のステップに合わせて楽音を発生させる靴が開示されている。特許文献１に記載された発明は、靴に電池やアンプ、スピーカ等を備えたオールインワン型の楽器であって、靴底面の前後左右に傾斜面を設け、各傾斜面にスイッチを備え、ステップに応じてメロディーを奏でることができる。
【０００４】
また特許文献２には「楽音制御方法及び楽音制御装置」という名称で、身振りに合わせて楽音を発生させる楽音制御装置が開示されている。特許文献２に記載された発明は、靴の中敷の前部と後部に圧力センサを備え、身振りに応じて変化する圧力センサからの信号を手、肩、肘、腰などに装着したコントローラで制御して演奏することができる。
【０００５】
さらに特許文献３には「足裏用スイッチ」という名称で、手指以外の身体部位を利用して携帯電話やコンピュータキーボードの入力を行う方法が開示されている。特許文献３に記載された発明は、手以外にも足の親指、小指及び踵などを併用してキー入力を行い、手の操作回数を減らすことができる。
【０００６】
特許文献４には「足用入力装置」という名称で、足の指先でキーを操作して電子機器にデータ入力する足用入力装置が開示されている。特許文献４に記載された発明は、足の指先、足指の腹、足裏、踵などの操作を組み合わせて、文字コードなどを生成することができる。
【先行技術文献】
【特許文献】
【０００７】
【特許文献１】特公昭５４−０１９３３８号公報
【特許文献２】特許第２９７０４９４号公報
【特許文献３】特開２０１０−０３３５２６号公報
【特許文献４】特開２０１２−０５３６６１号公報
【発明の概要】
【発明が解決しようとする課題】
【０００８】
しかし特許文献１に開示された発明では、靴底の特定箇所に備えられたスイッチをステップに合わせて楽音を発生する装置であり、常に体重移動や姿勢の変化を伴うので、複雑な曲やテンポの速い曲を演奏することが困難であるという課題があった。
【０００９】
また、特許文献２に開示された発明では、身体の各部に装着したコントローラを必要とするので、演奏曲目の自由度は大きいが、装置が大型化並びに複雑化する課題があった。
【００１０】
さらに、特許文献３に開示された発明では、コンピュータ等のキー入力の一部を足指等に分担する装置であり、音楽の演奏で要求される迅速かつ正確なキー操作が困難であるという課題があった。
【００１１】
そして、特許文献４に開示された発明では、主としてつま先（拇指）と拇指の腹を使用してキーを操作するので、キーを選択するときにつま先を左右に振る必要があり、キー位置と足先との相対的位置のずれを生じやすく、音楽の演奏で要求される迅速かつ正確なキー操作が困難であるという課題があった。
【００１２】
本発明は、上記のような従来技術では未解決な課題に対処するために、人間の足指の動作特性に適合したキーボード構造及び楽音制御手段を有する電子楽器を提供することを目的とする。
【課題を解決するための手段】
【００１３】
上記目的を達成するため、請求項１記載の発明は、足指で入力可能な楽音キーを備えた足指入力用キーボードと、該キーボードからの入力信号を受けて所定の楽音コードを生成する楽音制御装置と、前記楽音コードに基づいて楽音を発生する楽音発生制御装置とで構成され、 
前記足指入力用キーボードは、踵から足根小球部までを載せる足載せ部、および前記足載せ部の前方に楽音入力キーを配置する領域を設けた基板と、前記基板の楽音入力キー配置領域に複数の楽音入力キーを備え、第１足指乃至第３足指及び第５足指の各足指の腹部で押下可能な位置に楽音入力キーを配置し、
第１足指用と第５足指用に各々１の楽音入力キーを備え、第２足指、第３足指の２足指の屈折操作に対応する１の楽音入力キーを備えたことを特徴とする電子楽器。である。
前記足指入力用キーボードは、踵から足根小球部（足指の付け根）までを載せる足載せ部、および前記足載せ部の前方に楽音入力キーを配置する領域を設けた基板と、前記基板の楽音入力キー配置領域に複数の楽音入力キーを備え、第１足指（拇指）乃至第５足指（小指）の各足指の腹部で押下可能な位置に楽音入力キーを配置したことを特徴とする。
このような構造のキーボードであれば、第１足指乃至第５足指の屈折・伸展操作によって楽音の高低や長短を自由に調節でき、メロディーが演奏できるという作用を有する。上記楽音入力キーは、ピアノ等の鍵盤楽器における鍵（キー）に相当する。
さらに、前記足指入力用キーボードは、第１足指（拇指）用と第５足指（小指）用に各々１の楽音入力キーを備え、第２足指（示指）、第３足指（中指）の２足指の屈折操作に対応する１の楽音入力キーを備えたことを特徴とする。
人間の足指の動作特性において、第１足指は独立して屈折及び上方へ伸展でき最も自由度が高い。次いで、第５足指は独立して伸展はできないが、第１足指乃至第５足指を伸展した状態で第１足指側を浮かせ気味にして第５足指を屈折することで、実質的に第５足指単独で楽音入力キーを押下することができる。第２足指乃至第４足指は、意識的に独立して屈折・伸展させることはできず、略同列的に動作する。特に第４足指は、第２・第３足指にも、第５足指にも連れ回り的に動作する。また、第２足指、第３足指においても、まったく同時に屈折する訳ではなく、何れかの指が優先して屈折すると考えられるが、第２足指及び第３足指が押圧できる大きさの楽音入力キーを採用すればよい。
このような人間の足指の動作特性を考慮して、足指の数より少ない数の楽音入力キーを設置することで、無理・無駄のない楽音キー入力操作が可能になる。
【００１４】
請求項２記載の発明は、請求項１記載の電子楽器において、前記足指入力用キーボードは、前記基板の前記楽音入力キー配置領域における前記楽音入力キーの高さを調節可能にしたことを特徴とする。
このように、楽音入力キーの取付位置（取付方向を含む）及び高さを調節可能にすることで、取付方向を含む楽音入力キーの位置を演奏者ごとに最適化でき、楽音入力キーの操作感と入力の正確さが向上する。
また楽音入力キーの操作面の高さに高低差をつけることで、各足指の太さや動作速度の違いなどに起因する入力タイミングのずれを吸収し、滑らかな演奏を可能にする。
【００１５】
請求項３記載の発明は、請求項１記載の電子楽器の前記足指入力用キーボードからの信号の楽音制御において、第１足指用楽音入力キーからの信号、及び第５足指用楽音入力キーからの信号、及び第２足指、第３足指の２足指の屈折操作に対応する楽音入力キーからの信号、及び第１足指用楽音入力キーと第２足指、第3足指用楽音入力キーの同時入力信号に対して、夫々１楽音コードを生成することを特徴とする。
操作した楽音入力キーの単独又は組合せに応じた楽音コード生成制御をすることにより、少ない楽音入力キーに多くの楽音を割り当てることができ、発音制御可能な楽音の数を増やすことができる。
【００１６】
請求項４記載の発明は、請求項３記載の電子楽器の前記足指入力用キーボードからの信号の楽音制御において、複数の楽音入力キーを同時入力した時に、特定の楽音入力キーの入力をキャンセルすることを特徴とする。
上記したように人間の足指動作において、第２足指乃至第４足指は個別に屈折することができず、略同列的に動作し、かつ、第２足指乃至第４足指を屈折するときに第５足指も付随的に屈折する動作特性がある。第２足指、第３足指で操作する楽音入力キーの入力操作時は、この第５足指の不要な動作による第５足指用楽音入力キーの入力信号を無視することで不所望な楽音の発生を抑制することができる。
【００１７】
請求項５記載の発明は、請求項１、３、４の何れかに記載の電子楽器の前記足指入力用キーボードからの信号の楽音制御において、右脚足指用キーと左脚足指用キーの同時入力信号に対して、左右脚の足指の組合せに応じた１楽音コードを生成することを特徴とする。
このように左右一対のキーボードを連携して一体の足指入力用キーボードを構成して楽音制御を行うと、左右足指の連携動作が可能になり、左右両脚足指の同時入力操作に対しても楽音の割り当てが可能になる。その結果、少ない楽音入力キーに対してより多くの楽音を割り当てることができるとともに、左右の足指の一体感が生じて楽音入力が円滑に行えるようになる。
【００１８】
請求項６記載の発明は、請求項５記載の電子楽器の前記足指入力用キーボードからの信号の楽音制御において、一方脚の足指入力用キーボードの特定の足指の楽音入力キーを、そのキー単独の入力操作では楽音信号を発しないシフトキーに設定し、該シフトキー操作時は、他方脚の足指入力用キーボードの楽音入力キーは、シフトキー非操作時とは異なる楽音コードを生成するように設定したことを特徴とする。
このように左右一対の足指入力用キーボードを一元化して特定の足指の楽音入力キーをシフトキーに設定して楽音制御することで、楽音入力キーの数を増やすことなく制御可能な楽音の数を増やすことができ、音域の拡大を図れる。
【００１９】
請求項７記載の発明は、請求項１、３、４、５、６の何れかに記載の電子楽器の前記楽音発生制御装置において、特定の楽音に対して半音上り又は半音下りの楽音を予め並列的に保持しておき、曲の調に応じて切替可能にしたことを特徴とする。
このように、特定の楽音に対して半音上り又は半音下りの楽音を予め並列的に保持し切替可能にすることで、ヘ長調やニ長調などに特有の半音、例えばヘ長調の場合の「フラット付のシ（B♭）」やニ長調の場合の「シャープ付のファ（F＃）」の楽音を予め保持しておき、１つの楽音入力キーに、基本のハ長調の楽音と、前記半音上り又は半音下りの楽音の、２つの楽音を設定しておき、曲目の調に応じて基本のハ長調と切替可能にすることで、半音入力用楽音キー（ピアノ等の黒鍵）を設けることなく演奏可能な曲目を増やすことができ、楽音入力キー数の増加を抑制することができるとともに、演奏の容易化が図れる。
【００２０】
請求項８記載の発明は、請求項１、３、４、５、６、７の何れかに記載の電子楽器の楽音制御装置において、所望する周波数の楽音を発生する楽音発生制御と、前記楽音周波数に対して１Ｈｚ以上相違する２以上の異なる周波数の楽音を同時並列的に発生する楽音発生制御とを切替可能にしたことを特徴とする。
このように、１の楽音入力キー操作で、目標周波数のみの楽音を発生する発音制御と、目標周波数に対して１Ｈｚ以上相違した２以上の異なる周波数の楽音を並列して同時に発生する発音制御とを切替可能にしたので、必要に応じてビブラート演奏や和音演奏をすることができる。
【００２１】
請求項９記載の発明は、請求項１記載の電子楽器を、扁平な筐体と、該筐体の上面を開閉自在にする筐体の蓋と、筐体の一側面に設けた把持部とからなる外装ケースに、
その外装ケースの内部左右端に左脚用前記足指入力用キーボード及び右脚用前記足指入力用キーボードを夫々配置し、
前記左脚用足指入力用キーボードと右脚用足指入力用キーボードの中間に該左脚用足指入力用キーボードと右脚用足指入力用キーボードとを左右に仕切るかたちに電子装置収納領域を配置し、
該電子装置収納領域には、スピーカーボックスと、前記楽音制御装置及び前記楽音発生制御装置と、前記楽音制御装置及び前記楽音発生制御装置に電力を供給する電源装置とを、配置収納し、携行可能な一体式としたことを特徴とする。
このように本発明の電子楽器を一体式としたので携行が可能になった。
【発明の効果】
【００２２】
以上説明したように、本発明の請求項１記載の電子楽器においては、足指で楽音キー入力操作が可能な足指入力用キーボードと、該キーボードからの入力信号を受けて所定の楽音コードを生成する楽音制御装置と、前記楽音コードに基づいて楽音を発生する楽音発生制御装置とで構成されるので、足指を使って音楽を演奏する楽器を容易に構成できるという効果を奏する。
また、足指を意識的に動かすことは、ふくらはぎの筋肉を動かすことであり、２０１６年４月に発生した熊本地震の被災者が数多く罹患した「エコノミークラス症候群」に対する顕著な予防効果という身体的効果が期待できる。
さらに、足指で楽器を演奏するときは、曲の記憶または楽符等の視覚による音楽情報を、日常的には動かし慣れていない足指の動作に変換し、発音した楽音のリズム（発音継続時間）や楽音の高低（周波数）の適否を判断しつつ、それを次の足指の動作にフィードバックしつつメロディーを奏でるという一連の動作を繰り返すことになり、手指による楽器の演奏にも増して、脳の記憶領域や視覚領域、運動制御領域、聴覚領域などの脳神経活動が複合的に活発化され、その結果として高齢者の認知症を予防するという身体的効果も期待できる。
【００２３】
本発明を上記の疾病予防や健康増進の観点から見ると、従来の健康体操や健康増進装置は、健康に良いことは理解されても、概して同じ動作の繰り返しであって、単調であり、飽き易く長続きしにくい（継続意欲の減退）という課題があった。これに対して本発明は、健康増進の効果が演奏技術の上達（滑らかな演奏）や、演奏曲目の高度化（簡単な童謡から始めて、賛美歌やポップス等へのレベルアップ）という、感覚的かつ客観的な変化として認識できるため、従来の健康体操や健康増進装置に比べて、運動を継続する意欲の維持向上が図られるという顕著な効果が期待できる。
【００２４】
また、本発明の電子楽器の足指入力用キーボードは、第１足指乃至第５足指の屈折・伸展操作で楽音の高低や長短を調節できるので、足指の操作だけで音楽を演奏できるという従来技術にない効果を奏する。
【００２５】
さらに、本発明の電子楽器の足指入力用キーボードは、上記効果に加えて、楽音入力キーの数を人間の足指の動作特性を考慮した数に制限したので、無理・無駄のない楽音キー入力操作ができるという効果を奏する。
【００２６】
本発明の請求項２記載の発明によれば、楽音入力キーの取付位置及び楽音入力キーの操作面の高さを調節可能にしたので、取付位置を調節することで演奏者ごとに楽音入力キーの位置を最適化でき、楽音入力キーの操作感の向上が得られる。また、楽音入力キーの操作面の高さに高低差をつけて調節することで、各足指の太さや動作速度の違いなどに起因する入力タイミングのずれを吸収し、滑らかな演奏を可能にするという効果を奏する。
【００２７】
本発明の請求項３記載の発明によれば、楽音入力キーへの楽音の割り当てにおいて、各楽音入力キーに夫々異なる１楽音を割り当てるとともに、複数の楽音入力キーの同時入力操作に対して、同時操作した楽音入力キーの組合せに応じて、１楽音を割り当てたので、少ない楽音入力キーに多くの楽音を割り当てられるという効果を奏する。
【００２８】
本発明の請求項４記載の発明によれば、複数の楽音入力キーの同時入力操作時に、特定の楽音入力キーの入力をキャンセルすることとしたので、特定足指（第５足指）の付随的な屈折動作による不所望な楽音の発生を抑制できるという効果を奏する。
【００２９】
本発明の請求項５記載の発明によれば、左右一対のキーボードを連携して一体の足指入力用キーボードを構成して楽音制御を行うようにしたので、左右足指の連携動作が可能になり、左右両脚の足指の同時入力操作に対しても楽音の割り当てが可能になり、限られた数の楽音入力キーに対して、より多くの楽音を割り当てられるとともに、左右の足指の一体感が生じて楽音入力が円滑化するという効果を奏する。  
【００３０】
本発明の請求項６記載の発明によれば、左右一対の足入力用キーボードの一方脚の特定足指の楽音入力キーをシフトキーに設定し、該シフトキー操作時は、他方脚の足指入力用キーボードの楽音入力キーは、上記シフトキーの非操作時とは異なる楽音コードを生成するように設定したので、少ない楽音入力キーに多くの楽音を割り当てることができ、制御可能な楽音の数を増やすことができるという効果を奏する。
【００３１】
本発明の請求項７記載の発明によれば、基準となる調（例えばハ長調）以外の調（例えばヘ長調）に固有の、基準のハ長調の楽音に対して半音上り又は半音下がりの楽音（例えばヘ長調のフラット付シ）を予め並列的に保持しておき、曲目の調に応じて、基準のハ長調の楽音と前記半音上下した楽音とを切替可能にして、楽音入力キーの数を増やさずに演奏可能な曲目を増やせるという効果を奏する。
【００３２】
本発明の請求項８記載の発明によれば、１の楽音入力キー操作で、目標周波数のみの楽音を発生する制御と、目標周波数に対して１Ｈｚ以上相違した２以上の異なる周波数の楽音を同時に発生する発音制御とを切替可能にしたので、必要に応じてビブラート演奏や和音演奏に切替えることができるという効果を奏する。
【００３３】
本発明の請求項９記載の発明によれば、電子楽器を携行可能な一体式としたので、持ち運びが容易になるという効果を奏する。
【図面の簡単な説明】
【００３４】
【図１】電子楽器の概観図
【図２】左右キーボードの斜視図
【図３ａ】楽音入力キースイッチの構造（機械的伝達機構を有する型）
【図３ｂ】楽音入力キースイッチの構造（機械的伝達機構を有しない直動薄型）
【図４】男女足型の比較図
【図５】楽音入力キー踏み板の取付構造（高さ）
【図６】リレーによる楽音制御回路とタイマーＩＣとＲＣの組合わせによる楽音発生制御回路
【図７】ビブラート効果を切替可能な実施例の構造
【発明を実施するための形態】
【００３５】
本発明の足指で演奏する電子楽器は、足指の操作でリズミカルに楽音を入力して音楽を演奏する楽器である。以下、本発明の足指で演奏する電子楽器の実施例について図１乃至図７を参照しながら具体的に説明する。
【実施例１】
【００３６】
（電子楽器の全体構成）
本実施例の足指で演奏する電子楽器は、足指で楽音キー入力が可能な足指入力用キーボードと、該キーボードの楽音入力キーからの入力信号に応じて所定の楽音コードを生成する楽音制御装置と、前記楽音コードに基づいて楽音を発生する楽音発生制御装置とで構成される。
図１は本実施例の足指で演奏する電子楽器の概観図である。図２は左右キーボードの入力キーの配置を表わしている。
図１に示すように、本実施例の足指で演奏する電子楽器１は、平面視略正方形の筐体１００の内部に、足指で楽音キー入力が可能な左右一対の足指入力用キーボード２Ｒ、２Ｌと、該キーボード２Ｒ、２Ｌを仕切るように筐体中央部に電子装置収納領域を配置した。該電子装置収納領域には、図の右側からスピーカーボックス６５、楽音発生制御装置６及び楽音制御装置４、並びに前記楽音制御装置４及び楽音発生制御装置６に電力を供給する電源装置７０が縦一列に収納されている。
このような装置配置にすることで、上記左右キーボード２の楽音入力キー３からの信号に応じて所定の楽音コードを生成する楽音制御装置４と前記キーボード２と楽音制御装置４を接続する信号線５と、該楽音制御装置４が生成した楽音コードに基づいて楽音を発する楽音発生制御装置６を含む電子楽器１をコンパクトに構成できる。
また、電子楽器１を一体式に構成したので、使用時には蓋１０１を適度な傾斜角に開いて演奏を行い、保管時には筐体の蓋１０１を閉じておくことができる。また、運搬時には蓋１０１を閉じて把持部１０３を持って自由に移動できる。さらに、重量配分を左右均等にして重心の偏りをなくし、持ち運びしやすい構造にしてある。（図１、図２参照）
なお、本実施例の電子楽器１は、前記足指入力用キーボード２と、前記楽音制御装置４と、前記楽音発生制御装置６等を別体に、又は一部合体して構成することができる。
【００３７】
図１及び図２に示すように、足指入力用キーボード２は基板１０を有し、該基板１０の上面に、踵から足根小球部（足指の付け根）までを載せる足載せ部１０Ａ、及び前記足載せ部の身体方向前方に楽音入力キー３を配置する領域１０Ｂを設けてある。
【００３８】
前記足指入力用キーボード２は片脚当たり３つの楽音入力キー３を備える。以下、入力操作する足指で楽音入力キーを区別するときは３０１、３０２、３０５の符号を付し、左右足で区別するときは左脚の足指には数字の後にＬを追加し、右脚の足指には数字の後にＲを追加して区別する。図２に示すように、第１足指（拇指）で押下可能な態様の楽音入力キー３０１と、第２足指（示指）、第３足指（中指）で押下可能な態様の楽音入力キー３０２と、第５足指（小指）で押下可能な態様の楽音入力キー３０５が位置調節可能に固定されている。第４足指は、前記のとおり第２・第３足指の動作にも、第５足指の動作にも連れ回り的に動作するので、上記楽音キー３の位置調節時に、第４足指を第２・第３足指の群（楽音入力キー３０２）に入れても、第５足指の群（楽音入力キー３０５）に入れても、キーボードを操作する上で問題とならない。
楽音入力キー３を位置調節可能な構造としたのは、個人差および習熟による最適キー位置の変化に対応するためである。左脚の足指入力用キーボード２Ｌ及び右脚の足指入力用キーボード２Ｒは左右対称形に作られている。
【００３９】
前記楽音入力キー３は、電気的スイッチ３Ａと、足指の挙動を前記電気的スイッチに伝達する楽音入力キー操作子３Ｂとで構成される。楽音入力キー操作子３Ｂは、足指の腹で押下するための略平坦な面（操作面）を有する踏み板３Ｂ１と、足指の押下又は開放挙動を前記電気的スイッチＡの開閉（オン・オフ）状態に変換する機械的伝達機構３Ｂ２とで構成される（図３ａ）。ただし、扁平な電気的スイッチを用いる場合は、前記機械的伝達機構３Ｂ２を省略して、前記足指の腹で押下するための踏み板３Ｂ１の直下に、前記電気的スイッチ３Ａを配置してもよい（図３ｂ）。なお、上記楽音入力キースイッチ３Ａは電気的スイッチに限られないが、メリハリのある出力信号が得られるものが好ましい。
【００４０】
本発明の足指入力用キーボード２の各楽音入力キー３０１、３０２、３０５は、上述のように取付方向を含む取付位置及び取付高さが調節可能である。この特徴について図４及び図５を用いて説明する。図４は、足の大きさと足指の押圧点の個人差を表わしている。太線は成人男子の足型Ｍ（履物サイズ：２６センチ）、実線は成人女子の足型Ｆ（履物サイズ：２２．５センチ）を表わしている。
前記２つの足型Ｍ及びＦのつま先と内側を一致させた場合、第１足指（拇指）では男子の押圧点ＭＰ１と女子の押圧点ＦＰ１は縦方向及び横方向にずれているのが認められる。第２足指（示指）では、男子の押圧点ＭＰ２と女子の押圧点ＦＰ２は縦方向のずれは殆どなく横方向に若干のずれが認められる。第３足指（中指）では足幅の相違が男子の押圧点ＭＰ３と女子の押圧点ＦＰ３の位置の相違に現れており、縦方向のずれは小さいが横方向のずれが大きくなっている。第４足指（薬指）では男子の押圧点ＭＰ４と女子の押圧点ＦＰ４は縦方向及び横方向のずれが顕著であり、男子の足型Ｍの第４足指（薬指）の押圧点ＭＰ４と女子の足型Ｆの第５足指（小指）の押圧点ＦＰ５が略一致している。
【００４１】
上記例のように、第１足指乃至第５足指の押圧点の位置は個人差があるので、楽音入力キー３０１、３０２、３０５の取付位置及び取付方向を演奏者に適した位置及び方向に簡単迅速に調整可能とする必要がある。簡便な調節固定手段としては、面ファスナーの使用や、ピンと穴開きプレートの組合せや、磁石と鉄板等の強磁性体の組合せによる固定手段が挙げられる。
【００４２】
図５は本発明の足指入力用キーボード２の各楽音入力キー３０１、３０２、３０５の取付高さの具体例を示している。図５において各キーの踏み板端面の高さを斜線部で表わしている。このように第２、第３足指用楽音入力キー３０２の踏み板は第５足指用楽音入力キー３０５の踏み板より相対的に高い位置に設定してある。楽音入力キー操作子の踏み板に高低差をつけることで、各足指の太さや動作速度（機敏さ）の違いなどに起因する入力タイミングのずれを吸収でき、滑らかな演奏が可能になる。
本発明においては楽音入力キー３に優先順位を設けて、第２足指、第３足指用楽音入力キー３０２を入力した場合に付随的に入力されてしまう第５足指用楽音入力キー３０５の入力信号をキャンセルすることにしている。しかし楽音入力キー３０５の入力が一瞬でも先に行われると、楽音入力キー３０５固有の楽音が一瞬発音され、それから所定の楽音入力キー３０２の楽音に切替わる現象が起きるときがある。このような過渡的な混音現象を効果的に抑制するために、楽音入力キー３０２の踏み板を楽音入力キー３０５の踏み板より相対的に高い位置に（足指に近づけて）固定している。このように踏み板に高低差を付けることで、楽音入力キー３０２の操作時に付随的に入力される楽音入力キー３０５より、楽音入力キー３０２を先に入力できるようにしている。
【００４３】
本発明の楽音制御装置４は、前記足指入力用キーボードの楽音入力キー３からの信号を入力して楽音コードに変換し、後続する楽音発生制御装置６に出力する機能を果たす。
既述のように、第１足指は独立して屈折及び上方へ伸展でき、最も自由度が高い足指と考えられる。第５足指は独立して伸展はできないが、第１足指乃至第５足指を伸展させた状態で第１足指側を浮かせ気味にすれば、第５足指単独で楽音入力キーを操作することができる。第２足指乃至第４足指は独立して屈折・伸展は出来ず、略同列的に動作する。第４足指は第５足指とも連れ回り的に動作する。
このような足指の動作特性を考慮して足指入力用キーボードの入力パターンを検討すると次のような構成が考えられる。
【００４４】
楽音入力キー３０５は第１足指側を浮かせ気味にして第５足指単独で操作して入力する。楽音入力キー３０２は第１足指を上方へ伸展して第２足指、第３足指を屈折して入力する。このとき付随的に入力される楽音入力キー３０５の入力信号をキャンセルする。楽音入力キー３０１は第２足指乃至第５足指を浮かせ気味にして第１足指を単独で屈折して入力する。入力パターンとして、前記キーの単独入力以外に第１足指並びに第２足指、第３足指を屈折して入力する合成楽音キー３０４が考えられる。（３０５の入力は無視する）この入力パターンを左右脚の足指に適用すると、８通りの入力パターンが得られ、「ドレミファ」及び「ソラシド」の８音（１オクターブ）が入力可能となり、童謡や民謡、唱歌などの曲目が演奏できる。楽音入力キー３の入力信号と出力する楽音の具体例を表１に示す。表１中「○」は入力オン、「×」は入力オフを表わす。
【００４５】
【表１】
2017215557.tif 000015
【００４６】
上記表１の楽音制御及び楽音発生制御を行なう電子回路の例を図６に示す。上記表１の楽音制御及び楽音発生制御を行う図６の電子回路は、小型リレーの組合せによる楽音制御回路４１と、タイマーＩＣとＣＲ回路を組み合わせた楽音発生制御回路６１を用いたものである。左右両脚の足指入力用キーボード２（ＲＬ）の各楽音入力キー３０１（ＲＬ）、３０２（ＲＬ）、３０５（ＲＬ）に対応する２極の小型リレーを備え、楽音入力キー３の電気的スイッチのオン・オフで小型リレーの駆動コイルを制御する。図中、リレーコイルとリレー回路を連結する破線は、リレーコイルが駆動するリレー接点との関係を表わしている。
このリレー回路による楽音制御では、３０２（ＲＬ）に対応する小型リレーのＢ接点（コイル無通電時閉、通電時開）を利用して楽音キー３０２（ＲＬ）入力時の３０５（ＲＬ）の入力をキャンセルしている。また、３０１（ＲＬ）と３０２（ＲＬ）の両方のＡ接点が閉（両方オン）のときレ（Ｄ４）又はシ（Ｂ４）の楽音を発生させている。
楽音発生制御回路６１はタイマーＩＣ（５５５）にコンデンサと半固定抵抗器を組み合わせた一般的な楽音発生回路である。上記発音制御回路４１が前記楽音制御装置４に相当し、上記発音制御回路６１が前記楽音発生制御装置６に相当する。
【実施例２】
【００４７】
上記実施例１では、楽音コード発生装置をリレー回路で、楽音発生制御装置をタイマーＩＣとＣＲ回路で構成したが、これら２つの装置の働きを１つのマイコンで代替することができる。
具体的には、左右脚用楽音入力キー３０５Ｌ、３０２Ｌ、３０１Ｌ、３０１Ｒ、３０２Ｒ、３０５Ｒの電気式スイッチの状態を２進数６桁の数値として把握し、前記スイッチのオン状態を１、オフ状態を０であらわす。
上記表１の例で、無音は「００００００」の値となる。ド（Ｃ４）の楽音は「１０００００」の値になり、ソ（Ｇ４）は「０００１００」の値になる。また、楽音キー３０２ＲＬを入力したときに楽音キー３０５ＲＬをキャンセルするには、楽音キー３０５ＲＬが「０」と「１」の値をとることを許容し、３０５ＲＬの入力を無視して実質的にキャンセルする。例えばレ（Ｄ４）は「０１１０００」と「１１１０００」の２つの値をとる。ラ（Ａ４）は「００００１０」と「００００１１」の２つの値をとる。
【００４８】
上記のように２進数として捉えた各楽音キーの状態を１０進数に変換すると、無音状態は２進数で「００００００」で表わされ、１０進数に変換すると｛０×２＾５+０×２＾４+０×２＾３+０×２＾２+０×２＾１+０×２＾０｝であり「０」となる。
ド（Ｃ４）は「１０００００」で表わされ｛１×２＾５+０×２＾４+０×２＾３+０×２＾２+０×２＾１+０×２＾０｝であり１０進数では「３２」となる。
同様にしてソ（Ｇ４）は「４」となる。楽音キー１０５のキャンセルを行うレ（Ｄ４）は「２４、５６」の２つの値をとり、ラ（Ａ４）は「２、３」の２つの値をとる。（表２参照）
【００４９】
【表２】
2017215557.tif 000016
【００５０】
このようにして楽音入力キーの状態を０と１の２進数値として捉えて１０進数に変換し、１０進数の値に対応する楽音を設定して楽音コードにすれば、マイコン上での後処理（楽音発生制御）が容易になる。
【実施例３】
【００５１】
さらに左右脚キーボードの指足を左右同時に入力操作する合成キーを考慮すれば、左右脚の第１足指を同時に屈折して入力する合成楽音キー３０１４と、左右の第２足指、第３足指を屈折して入力する合成楽音キー３０２４と左右の第５足指を同時に屈折して入力する合成キー３０５４や、第１足指並びに第２足指、第３足指を屈折して入力する合成楽音キー３０４４などが考えられる。左右の足指を連動して同時入力する場合は、第１足指同士、第２足指同士のような対称な足指の組合せが好ましい。
【００５２】
左右一対のキーボードの連携により足指入力用キーボードを一体化して楽音コードを生成する応用例として、何れか特定のキーをシフトキーに設定し、当該シフトキーには楽音を設定せず、他のキーに異なる２楽音を設定し、前記シフトキーを操作しながら他の楽音キーを押した場合にはシフトキー非操作時とは異なる楽音を発生させることができる。
例えば右脚の第５足指で入力するキー３０５Ｒをシフトキーに設定して、左脚のキー３０１Ｌ乃至キー３０５Ｌ及び合成キー３０４Ｌを操作することで、制御可能な楽音の範囲を拡張することができる。具体例として、シフトキー３０５Ｒを押しながら左脚第５足指のキー３０５Ｌの入力に対してド（C５、５２３Hz：合成キー３０５ＬＳ）、同様にキー３０２Ｌの入力に対してレ（Ｄ５、５８７Hz：合成キー３０２ＬＳ）キー３０１Ｌの入力に対してミ（Ｅ５、６５９Hz：合成キー３０１ＬＳ）、合成キー３０４Ｌの入力に対してファ（Ｆ５、７４０Hz：合成キー３０４ＬＳ）を設定した。
上記のような方法で楽音入力キーからの入力信号を楽音コードに変換すると、３０５Ｒのシフトキー化によるマイナス１楽音（表２におけるＣ５、５２３Ｈｚ）を差引いても新たに３楽音を追加設定できる。
【００５３】
左右一対のキーボードを連携して一体の足指入力用キーボードを構成して楽音制御する上記２種類の楽音制御を、表１の楽音設定に追加した例を表３に示す。
【００５４】
【表３】
2017215557.tif 000017
【００５５】
表３の例では、低いソ（Ｇ３、１９６Hz）から低いシ（Ｂ３、２４７Hz）までの楽音を、上記左右脚キーボードの左右足指同時入力操作による合成キー３０４４〜３０１４でカバーし、高いド（Ｃ５、５２３Ｈｚ）から高いファ（Ｆ５、７４０Hz）までを上記シフトキー操作による合成キー３０５ＬＳ〜３０１ＬＳでカバーすることで、低いソ（Ｇ３、１９６Hz）から高いファ（Ｆ５、７４０Hz）まで約２オクターブに相当する１４楽音を制御可能にしている。
この設定以外の楽音設定も自由であり、用途や曲目に応じた楽音設定が採用できる。また、シフトキーは足指入力用キーに限られず、例えば足首の左右のひねりを検出するスイッチや、足裏全体を前後左右に移動させ、その動きを検出するスイッチなどであってもよいし、身体の他の部位の動きを検出するものであってもよい。また複数のシフトキーを用いることができる。
【実施例４】
【００５６】
本実施例の楽音発生制御装置は、ヘ長調やニ長調などに特有の半音キー、例えばヘ長調の場合の「シのフラット付（B♭）」を予め並列的に保持し、基本となるハ長調の楽音キーと、曲目の調（しらべ）に応じて前記半音とを設定切替可能にして、ピアノ等の黒鍵を省略し、少ない数の楽音入力用キーで多くの曲目の演奏を可能にする。
【００５７】
本実施例では、前記６個の足指用楽音入力キー（３０１Ｌ、３０２Ｌ、３０５Ｌ、３０１Ｒ、３０２Ｒ、３０５Ｒ）の上位又は下位に１以上の調（しらべ）設定スイッチを規定する。例えば調（しらべ）設定スイッチを２個にすれば４つの調（しらべ）を選択でき、設定スイッチ３個の場合は８つの調（しらべ）が選択可能になる。調（しらべ）設定スイッチはオン・オフ状態を保持するタイプのスイッチが好ましい。
調（しらべ）設定スイッチが２個の場合は、６個の足指用楽音入力キースイッチと合計して８個のスイッチのオン・オフ状態を１又は０で表わして２進法８桁の数字と捉え、これを１０進数に変換して楽音コードを発生させる。２進数を１０進数に変換する変換式と楽音コードをコンピュータに記憶しておき、楽音入力キーの入力操作に応じて、調（しらべ）に対応した楽音コードをスピーカ等の発音装置に出力することで、調（しらべ）に合致した演奏が可能になる。２切替スイッチ（４調（しらべ））、１オクターブ分の楽音コード表の一部を表４に示す。
実際の楽音コードテーブルは、調（しらべ）切替スイッチの４状態に応じたコードを含むが、例示には冗長すぎるので特徴的なコードのみ表４に示した。
なお、ハ長調（半音キーなし）はＫＳＷ１オフ、ＫＳＷ２オフ。ヘ長調（シ♭）はＫＳＷ１オフ、ＫＳＷ２オン。ト長調（ファ＃）はＫＳＷ１オン、ＫＳＷ２オフ。ニ長調（ド＃、ファ＃）はＫＳＷ１オン、ＫＳＷ２オンと設定する。
【００５８】
【表４】
2017215557.tif 000018
【実施例５】
【００５９】
楽音入力キー及び調（しらべ）設定スイッチ以外にも、２進数１０進数化を応用すると、目標周波数に近接した２以上の異なる周波数の楽音を発生させて「うなり」によるビブラート類似の音響効果を生じさせることができる。また、単独の楽音と和音とを切替えたり、楽音の音色を切替えたりすることができる。
【００６０】
通常の鍵盤楽器は全音又は半音の音程で楽音を段階的に配置してあるので、周波数が近接した２以上の異なる周波数の音の重なりによる物理現象の「うなり」は殆ど聞き取れない。しかし前記「うなり」現象を鍵盤楽器に利用すると弦楽器や管楽器の演奏におけるビブラートに類似する演奏効果を容易にだすことができる。
本実施例では、演奏効果切替スイッチを切替えることで、所望する楽音の入力キー操作に対して、目標周波数のみの楽音を発生する制御と、目標周波数に対して１〜１０Ｈｚ相違した２以上の異なる周波数の楽音を同時に発生する発音制御とを切替え可能にして、必要に応じてビブラート類似の演奏効果を演出している。
【００６１】
具体例として図７に示すような、２系統の楽音発生制御装置（楽音発生制御装置６２及び楽音発生制御装置６３）を備え、６つの楽音入力キー（３０５Ｌ、３０２Ｌ、３０１Ｌ、３０１Ｒ、３０２Ｒ、３０５Ｒ）の上位にビブラートスイッチ（ＶＳＷと略す）を加えた７つのキー（スイッチ）構成を例に説明する。（表５）
表５において。ＶＳＷがオフのときに楽音入力キー１０５Ｌ（Ｃ４）を押すと、キーの状態は「０１０００００」であり楽音コード「３２」を発生する。
ＶＳＷがオンのときに楽音入力キー１０５Ｌ（Ｃ４）を押すと、キーの状態は「１１０００００」であり楽音コード「９６」を発生する。
上記楽音発生制御装置６２（ＭＣ１）の楽音コード‐周波数変換テーブルでは、楽音コード「３２」に対応する発生周波数を２６２Ｈｚ（＝Ｃ４）、楽音コード「９６」に対応する発生周波数を２６０Ｈｚ（Ｃ４−２Ｈｚ）に設定してある。
上記楽音発生制御装置６３（ＭＣ２）の楽音コード−周波数変換テーブルでは楽音コード「３２」に対応する発生周波数を２６２Ｈｚ（＝Ｃ４）、楽音コード「９６」に対応する発生周波数を２６４Ｈｚ（Ｃ４+２Ｈｚ）に設定してある。
ビブラートスイッチ（ＶＳＷ）を切替えることで、２系列の楽音発生制御装置から同一の楽音を発生させる制御と、近接した異なる周波数の楽音を発生させてビブラート類似効果を発生させる制御とを選択できる。表中のファ（Ｆ４）及び他の楽音についても同様の演奏効果切替制御を行うことができる。
【００６２】
【表５】
2017215557.tif 000019
【００６３】
ビブラートを効果的に演出する周波数差は２〜１０Ｈｚであり、好ましくは３〜８Ｈｚである。目標周波数に対する発音周波数の偏差は、表５のように均等に設定してもよいし、偏らせて設定してもよい。楽音の周波数差が大きいほどビブラートが細かくなる。
また、複数の演奏効果切替スイッチ、及び対応可能な楽音制御装置を設けることで、上記ビブラート類似効果以外に、１の楽音入力キー操作で和音を形成する２以上の楽音を発生させることもできる。
【産業上の利用可能性】
【００６４】
請求項１乃至９に記載された発明は、足指を使って演奏し演奏者や聴衆に娯楽を与える新規な楽器としての利用が可能であり、また日常は意識的に動かすことが少ない足指の運動を通じて、下肢のみならず頭脳および身体全般の活性化を図る健康増進装置としての利用も可能である。特に楽譜等を見てそれを足指の動きに反映させ、自身の耳で演奏状態を聴きながら次の演奏にフィードバックする行為を繰り返す過程で、視覚、脳（記憶領域）、聴覚、足指の運動中枢等の統合が円滑化するという全身的効果が期待される。
【符号の説明】
【００６５】
１      電子楽器
１００  筐体
１０１  蓋
１０２  ストッパー
１０３  把持部
２      足指入力用キーボード
２Ｒ    右脚足指入力用キーボード
２Ｌ    左脚足指入力用キーボード
１０    基板
１０Ａ  足載せ部
１０Ｂ  楽音入力キー配置領域
３      楽音入力キー
３Ａ    電気的スイッチ
３Ｂ    楽音入力キー操作子
３Ｂ１  踏み板
３Ｂ２  機械的伝達機構
３０１  第１足指用楽音入力キー
３０２  第２・第３足指用楽音入力キー
３０４  第１足指及び第２・第３足指屈折入力による合成楽音キー
３０５  第５足指用楽音入力キー
３０１４  左右脚の第１指足同時屈折入力による合成楽音キー
３０２４  左右脚の第２・第３足指屈折入力による楽音合成キー
３０４４  左右脚の第１足指及び第２・第３足指屈折入力による合成楽音キー
３０５４  左右脚の第５指足同時屈折入力による合成楽音キー
４      楽音制御装置
４１    楽音制御回路
５      信号線
６      楽音発生制御装置
６１    楽音発生制御回路
６２    第１の楽音制御兼楽音発生制御装置（マイコン１：ＭＣ１）
６２１  第１のオーディオアンプ
６３    第２の楽音制御兼楽音発生制御装置（マイコン２：ＭＣ２）
６３１  第２のオーディオアンプ
６５    スピーカーボックス
７０    電源装置
Ｆ      成人女子の足型
ＦＰ１  女子の第１足指の押圧点
ＦＰ２  女子の第２足指の押圧点
ＦＰ３  女子の第３足指の押圧点
ＦＰ４  女子の第４足指の押圧点
ＦＰ５  女子の第５足指の押圧点
Ｍ      成人男子の足型
ＭＰ１  男子の第１足指の押圧点
ＭＰ２  男子の第２足指の押圧点
ＭＰ３  男子の第３足指の押圧点
ＭＰ４  男子の第４足指の押圧点
ＭＰ５  男子の第５足指の押圧点
ＶＳＷ  ビブラートスイッチ
ＶＳＷＩ  ビブラートスイッチ・インジケータ